(57)【特許請求の範囲】
【請求項１】
ディスクへの信号の記録動作を行った後記録された信号の位置を示す情報データをディスクに設けられているバッファ領域に記録し、該バッファ領域に記録されている情報データに基づいて信号の記録動作を行い、且つ該バッファ領域に記録されている情報データを消去することによってディスクに記録されている信号の消去動作を行うように構成されている光ディスク記録再生装置において、バッファ領域に記録されている情報データが消去された位置に信号を再度記録するとき、それまで記録されている信号に対して記録開始位置の絶対時間アドレスをずらすことにより記録開始位置をずらして記録し、新しく記録された信号とそれまでに記録されていた信号との記録開始位置を起点とする相対時間アドレスの不連続により新しく記録された信号トラックの記録終了位置を認識するようにしたことを特徴とする光ディスク記録再生装置の記録制御方法。
【請求項２】
信号を記録する位置に記録されている信号の記録開始位置の絶対時間アドレスに対して所定のフレーム数ずらした絶対時間アドレスから書き換える信号を記録するようにしたことを特徴とする請求項１に記載の記録制御方法。
【発明の詳細な説明】
【０００１】
【発明の属する技術分野】
本発明は、光学式ピックアップより照射されるレーザー光によってディスクに信号を記録するとともにレーザー光によってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップより照射されるレーザー光によってディスクに信号を記録することが出来るように構成された光ディスク記録再生装置が商品化されている。
【０００３】
ディスクに信号を記録することが出来る光ディスク記録再生装置としては、ＣＤ−Ｒと
呼ばれる方式、即ち１回のみ信号の記録動作を行うことが出来るものとＣＤ−ＲＷと呼ばれる方式、即ち繰り返し信号を記録することが出来るものとがある。
【０００４】
【発明が解決しようとする課題】
繰り返して信号を記録することが出来る光ディスク記録再生装置は、ディスクに設けられているリードイン領域の内側に設けられているＰＭＡと呼ばれるバッファ領域にディスクに記録された信号の位置を示す情報データを記録し、その記録された信号に基づいて信号の記録動作を行うように構成されている。斯かる装置において、ディスクに記録されている信号の消去動作は、前記バッファ領域に記録されている情報データを消去することによって行われる。即ち、ディスクに設けられている信号記録領域には信号が実際には記録された状態にあるが、その記録位置を示す情報データが消去されているため、ディスクは信号が記録されていない状態と同一の状態になる。
【０００５】
前述した動作によって信号の消去動作が行われたディスクに信号を記録する場合の動作について、図３に示した記録フォーマットを参照して説明する。図３の（Ａ）は、バッファ領域Ｂに記録されていた情報データが消去されたディスクを示すものであり、該バッファ領域Ｂの外周側にはリードイン領域Ｌが設けられており、その外側に信号が記録される信号記録領域が設けられている。図３（Ａ）において、信号記録領域には、２秒間のポーズ部Ｐ１が設けられているとともにＴ１よりＴ２まで第１トラックＮ１の信号が記録され、その外側にポーズ部Ｐ２を設けてＴ３より第２トラックＮ２の信号が記録されている。
【０００６】
図３（Ａ）のように信号が記録された状態にあるディスクに信号を記録する場合について説明する。まず、第１トラックとして新しく記録される信号の記録時間がそれまで第１トラックＮ１として記録されていた記録時間より長い場合について説明する。
【０００７】
斯かる場合の記録動作は、リードイン領域Ｌの外側に２秒間のポーズ部Ｐ１を設け、その外側、即ちＴ１の位置より新しい信号が第１トラックＳ１として記録されることになる。図３（Ｂ）は、このようにして記録された状態を示すものであり、新しい信号がＴ１の位置よりＴ４の位置まで記録される。斯かる図より明らかなようにそれまで第１トラックＮ１として記録されていた信号は、第１トラックＳ１の信号がオーバーライトされた状態になり、消去される。一方第２トラックＮ２として記録されていた信号の一部、即ちＴ４の位置より外側に記録されている信号は、オーバーライトされていないので、消去されることはなくディスク上には記録信号として残った状態になる。
【０００８】
第１トラックＳ１として新しい信号は記録され、この第１トラックＳ１に記録されている信号の再生動作を行うと、Ｔ４の位置にて第２トラックＮ２の信号が再生されることになる。この場合、情報データとして記録されているトラックの番号が１から２に変化するため第１トラックＳ１の信号はＴ４の位置まで記録されていることが認識される。従って、Ｔ４の位置情報をバッファ領域Ｂに情報データと記録することが出来、この記録された信号に基づいて、Ｔ４の外側に新しい信号を第２トラックとして記録することが出来る。
【０００９】
第１トラックとして新しく記録される信号の記録時間がそれまで第１トラックＮ１として記録されていた記録時間より長い場合の動作は以上の如く行われるが、次に第１トラックとして新しく記録される信号の記録時間がそれまで第１トラックＮ１として記録されていた記録時間より短い場合の動作について説明する。
【００１０】
斯かる場合の記録動作は、リードイン領域Ｌの外側に２秒間のポーズ部Ｐ１を設け、その外側、即ちＴ１の位置より新しい信号が第１トラックＭ１として記録されることになる。図３（Ｃ）は、このようにして記録された状態を示すものであり、新しい信号がＴ１の位置よりＴ５の位置まで記録される。斯かる図より明らかなようにそれまで第１トラック
Ｎ１として記録されていた信号の中のＴ１からＴ５までの部分の記録信号はオーバーライトされた状態になるので消去されるが、Ｔ５からＴ２までに記録されていた信号は、オーバーライトされていないので、消去されることはなくディスク上には記録信号として残った状態になる。
【００１１】
第１トラックＭ１として新しい信号は記録され、この第１トラックＭ１に記録されている信号の再生動作を行うと、Ｔ５の位置にて第１トラックＮ１の信号が再生されることになる。この場合、情報データとして記録されているトラックの番号は１で同一であり、また位置情報データも連続して再生されるため、第１トラックＭ１がどこで終了したか認識することが出来ない。従って、第１トラックＭ１の終了位置であるＴ５の位置情報をバッファ領域Ｂに情報データと記録することが出来ないという問題がある。
【００１２】
本発明は、斯かる問題を解決した光ディスク記録再生装置の記録制御方法を提供しようとするものである。
【００１３】
【作用】
本発明は、ディスクへの信号の記録動作を行った後記録された信号の位置を示す情報データをディスクに設けられているバッファ領域に記録し、該バッファ領域に記録されている情報データに基づいて信号の記録動作を行い、且つ該バッファ領域に記録されている情報データを消去することによってディスクに記録されている信号の消去動作を行うように構成されている光ディスク記録再生装置において、バッファ領域に記録されている情報データが消去された位置に信号を再度記録するとき、それまで記録されている信号に対して記録開始位置の絶対時間アドレスをずらすことにより記録開始位置をずらして記録し、新しく記録された信号とそれまでに記録されていた信号との記録開始位置を起点とする相対時間アドレスの不連続により新しく記録された信号トラックの記録終了位置を認識するようにしている。
【００１４】
【実施例】
図１は本発明に係る光ディスク記録再生装置の一実施例を示すブロック回路図、図２は本発明の記録制御方法を説明するための記録フォーマットである。
【００１５】
図１において、１はスピンドルモーター２によって回転駆動されるターンテーブル３に載置されるとともに該ターンテーブル２の回転により回転駆動されるディスクであり、位置情報データがウォブルと呼ばれる溝によって記録されており、この溝より得られるウォブル信号に基づいて信号の記録再生動作が行われるように構成されている。４はディスク１にレーザー光を照射させるレーザー素子及び該レーザー素子より照射されるレーザー光をモニターするモニター用ダイオードが組み込まれているとともにディスク１の信号面より反射されるレーザーを受ける光検出器が組み込まれている光学式ピックアップであり、ディスク１の径方向へ変位せしめられるように構成されている。
【００１６】
５は前記光学式ピックアップ２に組み込まれている光検出器から得られるＲＦ信号を増幅するとともに波形整形するＲＦ信号増幅回路、６は前記ＲＦ信号増幅回路５を介して得られる信号に基づいて前記光学式ピックアップ４より照射されるレーザー光をディスク１の信号面に合焦させるフォーカシング制御動作及び該レーザー光を前記信号面の信号トラックに追従させるトラッキング制御動作を行うピックアップ制御回路である。
【００１７】
７は前記ＲＦ信号増幅回路５より出力される信号のデジタル信号処理を行うとともに各種信号の復調動作を行うデジタル信号処理回路、８は前記デジタル信号処理回路７にて信号処理されたデジタル信号が入力されるとともに入力されたデジタル信号をアナログ信号に変換するＤＡコンバータが組み込まれている信号再生用回路であり、その出力信号は増
幅器に出力するように構成されている。
【００１８】
９は光ディスク記録再生装置の動作切換を行うために設けられている操作回路部であり、記録動作の編集操作等を行う機能が組み込まれている。１０は外部に設けられている機器より出力される記録信号が入力される記録信号入力回路、１１は前記デジタル信号処理回路７により復調された信号が入力されるとともに前記操作回路部９より出力される動作切換用の制御信号に応じて種々な制御動作を行うシステム制御回路であり、前記記録信号入力回路１０より入力される記録信号が一時的に記憶されるバッファ用ＲＡＭ１２が組み込まれている。
【００１９】
１３は前記光学式ピックアップ４に組み込まれているレーザー素子に駆動信号を供給するレーザー駆動回路、１４は前記システム制御回路１１によって動作が制御されるレーザー出力制御回路であり、前記レーザー駆動回路１３を制御することによってレーザーの出力を設定するように構成されている。１５はテスト信号や前記バッファ用ＲＡＭ１２から読み出された記録信号が入力されるとともにその信号に対応させて前記レーザー駆動回路１３によるレーザー光の照射動作を制御することにより前記記録信号を前記ディスク１に記録させる信号記録用回路である。
【００２０】
１６は前記スピンドルモーター２の回転速度を記録動作に適した線速度になるように駆動制御するスピンドルモーター駆動回路であり、前記システム制御回路１１によって動作が制御されるように構成されている。
【００２１】
斯かる構成において、記録信号入力回路１０を介して入力される記録信号は、前記バッファ用ＲＡＭ１２に一時的に記憶された後、該バッファ用ＲＡＭ１２より読み出されてディスク１に記録されるように構成されている。
【００２２】
以上の如く、本発明に係る光ディスク記録再生装置は構成されているが、次に斯様に構成された回路における再生動作について説明する。操作回路部９より出力される再生用の切換信号がシステム制御回路１１に入力されると、システム制御回路１１による再生動作のための制御動作が開始される。斯かる再生動作が行われる場合には、光学式ピックアップ４に組み込まれているレーザー素子には、信号の読み出し動作を行うためのレーザー出力が得られる駆動電流がレーザー駆動回路１３より供給されるように設定されている。
【００２３】
斯かる再生動作のための制御動作が開始されると、スピンドルモーター駆動回路１６によるスピンドルモーター２の回転制御動作が行われるとともに光学式ピックアップ４のフォーカシング制御動作及びトラッキング制御動作が開始されて該光学式ピックアップ４によるディスク１からの信号の読み出し動作が開始される。前記光学式ピックアップ４によって読み出された信号は、ＲＦ信号増幅回路５を通してデジタル信号処理回路７に入力されて信号の復調動作が行われる。前記デジタル信号処理回路７により信号処理が行われて信号が抽出されると、該信号は誤り訂正等の信号処理が行われた後、信号再生用回路８に印加される。そして、前記信号再生用回路８は、入力されるデジタル信号をＤＡコンバータによってアナログ信号に変換した後増幅器に出力する。従って、使用者はディスク１に記録されている音楽等の信号を再生聴取することが出来る。
【００２４】
斯かる回路構成において、信号の記録動作を行うためにディスク１をディスクの装着部に挿入すると、レーザー出力の設定動作が行われる。斯かるレーザー出力の設定動作は、システム制御回路１１内に設けられているメモリー回路に記憶されているプログラムに基づいて行われる。斯かるレーザー出力の設定動作は、レーザー出力制御回路１４より出力される制御信号によってレーザー駆動回路１３より光学式ピックアップ４内に組み込まれているレーザー素子へ供給される駆動電流の大きさを段階的に変化させながらテスト信号
をディスク１の内周側に設けられている試し書き領域に記録するとともにその記録された信号を再生することによって行われる。
【００２５】
レーザー素子へ供給される駆動電流の大きさを段階的に変化させるとレーザー素子より出力されるレーザー光の出力が変化するため、ディスク１に記録される信号のレベルも変化することになる。そして、レーザー出力に対するディスク１に記録される信号のレベルを検出し、再生される信号のレベルが所望の値になると、そのときのレーザー出力が記録動作を行うためのレーザー出力として設定される。前述したレーザー出力の設定動作は、周知の技術を利用することによって行うことが出来るため、その説明は省略する。
【００２６】
このようにして設定されたレーザー出力によって信号記録領域への信号の記録動作が開始されるが、斯かる信号の記録動作が行われているとき、ディスク１より反射されるレーザー光の変化をモニターすることによってレーザー駆動回路１３よりレーザー素子に供給される駆動電流の値を変化させて常に記録動作に最適なレーザー出力になるように調整するように構成されている。
【００２７】
以上に説明したように試し書き領域へのテスト信号の記録動作及び信号記録領域への信号の記録動作は行われるが、斯かる記録動作を行うためにレーザー駆動回路１３よりレーザー素子へ供給される駆動信号に対してはレーザーサーボ回路（図示せず）による制御動作が常に行われた状態にある。
【００２８】
外部に設けられているディスクプレーヤー等より出力される記録信号は、記録信号入力回路１０を介してバッファ用ＲＡＭ１２に記憶される。前記バッファ用ＲＡＭ１２に記憶されている記録信号は、ディスク１への記録動作を行うとき読み出されて信号記録用回路１５に入力される。該信号記録用回路１５に入力された記録信号がレーザー駆動回路１３に印加される結果、その記録信号に応じた駆動信号がレーザー駆動回路１３より光学式ピックアップ４を構成するレーザー素子に供給されディスク１への信号の記録動作は行われる。
【００２９】
以上に説明したように本実施例における記録動作は行われるが、次に本発明の要旨である記録制御方法について図２に示した記録フォーマットを参照して説明する。
【００３０】
図２の（Ａ）は、バッファ領域Ｂに記録されていた情報データが消去されたディスクを示すものであり、該バッファ領域Ｂの外周側にはリードイン領域Ｌが設けられており、その外側に信号が記録される信号記録領域が設けられている。図２（Ａ）において、信号記録領域には、２秒間のポーズ部Ｐ１が設けられているとともにＴ１よりＴ２まで第１トラックＡ１の信号が記録され、その外側にポーズ部Ｐ２を設けてＴ３より第２トラックＡ２の信号が記録されている。
【００３１】
図２（Ａ）のように信号が記録された状態にあるディスクに信号を記録するための動作は、次のように行われる。ディスク１に設けられているバッファ領域Ｂに記録されていた情報データは消去されているため、ディスク１の信号記録領域に信号が記録されているか否かを認識することは出来ない。
【００３２】
斯かる場合には、まずディスク１に設けられている信号記録領域の開始位置はフォーマットにて規定されているため、その位置へ光学式ピックアップ４を移動させて信号の再生動作を開始させる。斯かる再生動作が開始されると第１トラックＡ１に信号が記録されている場合には、ＲＦ信号増幅回路５より信号が出力されるため、その信号を復調することによって情報データである絶対時間、即ち信号記録領域の開始位置Ｔ０を起点とする経過時間である絶対時間アドレスＡＴと相対時間、即ち第１トラックＡ１の記録開始位置Ｔ１
を起点とする経過時間である相対時間アドレスＡｔとを読み取ることが出来る。
【００３３】
このようにして読み取られた絶対時間アドレスＡＴから相対時間アドレスＡｔを減算することによって第１トラックＡ１の記録開始位置Ｔ１の絶対時間である絶対時間アドレスＡを認知することが出来る。そして、このようにして認識された第１トラックＡ１の記録開始位置Ｔ１の絶対時間アドレスＡは、システム制御回路１１に組み込まれているメモリー回路（図示せず）に記憶される。
【００３４】
前述した動作を行った後、信号の記録動作が行われるが、斯かる記録動作は、前述した動作によって認知された絶対時間アドレスＡにαだけ絶対時間アドレスを増加させた物理的な位置であるＴ４の位置より開始される。斯かる場合の記録動作は、リードイン領域Ｌの外側に２秒にαだけ長くしたポーズ部Ｐ３を設け、その外側、即ちＴ４の位置より新しい信号が第１トラックＣ１として記録されることになる。図２（Ｂ）は、このようにして記録された状態を示すものであり、新しい信号がＴ４の位置よりＴ５の位置まで記録される。
【００３５】
斯かる図より明らかなようにそれまで第１トラックＡ１として記録されていた信号の中のＴ１からＴ５までの部分の記録信号はオーバーライトされた状態になるので消去されるが、Ｔ５からＴ２までに記録されていた信号は、オーバーライトされていないので、消去されることはなくディスク上には記録信号として残った状態になる。
【００３６】
第１トラックＣ１として新しい信号は記録され、この第１トラックＣ１に記録されている信号の再生動作を行うと、Ｔ５の位置にて第１トラックＮ１の信号が再生されることになる。この場合、情報データとして記録されているトラックの番号は１で同一であるが、位置情報データであるアドレス、即ち相対時間は相違しているため、再生される相対時間アドレスは不連続となる。従って、第１トラックＣ１がどこで終了したか認識することが出来、第１トラックＣ１の終了位置であるＴ５の位置情報をバッファ領域Ｂに情報データとして記録することが出来ることになる。
【００３７】
前述したように第１トラックの記録終了位置がそれまで記録されていた第１トラック上に位置しても記録開始位置の絶対位置アドレスがずれているため、記録終了位置を認識してその位置の情報データをバッファ領域Ｂに記録することが出来、この記録された信号に基づいて、Ｔ５の外周側に新しい信号を第２トラックとして記録することが出来る。
【００３８】
以上に説明したように第１トラックＣ１の記録開始位置の絶対位置アドレスをそれまでに記録されていた第１トラックＡ１の記録開始位置Ｔ１の絶対位置アドレスＡにαだけ加えるようにしたが、このαはフレーム数にて設定されることになる。即ち、ＣＤと呼ばれるディスクの規格では、信号記録領域の信号記録開始位置が信号記録領域の開始位置Ｔ０より２〜３秒と規定されているからである。即ち、ポーズ部Ｐ１の時間は２〜３秒になるように規定されている。
【００３９】
尚、本実施例では、第１トラックの開始位置をそれまで記録されていた信号の開始位置より外周側へずらす場合について説明したが、内周側へずらすことが可能な場合、即ち内周側へ所定のフレーム数ずらしてもポーズ部Ｐ１の時間が２秒以下にならない場合には、内周側へずらすことも出来る。
【００４０】
【発明の効果】
本発明は、バッファ領域に記録されている情報データが消去された位置に信号を再度記録するとき、それまで記録されている信号に対して記録開始位置の絶対時間アドレスをずらすことにより記録開始位置をずらして記録し、新しく記録された信号とそれまでに記録
されていた信号との相対時間アドレスの不連続により新しく記録された信号トラックの記録終了位置を認識するようにしているので、新しく記録された信号のトラック番号とそれまでに記録されていた信号のトラック番号とが同一となっても確実に新しく記録された信号トラックの記録終了位置を認識することが出来る。従って、バッファ領域に記録されていた情報データが消去されたディスクに信号を記録し、その記録された信号の位置を示す情報データのバッファ領域への記録動作を支障無く行うことが出来る。
【図面の簡単な説明】
【図１】  本発明の記録制御方法に係る光ディスク記録再生装置の一実施例を示すブロック回路図である。
【図２】  本発明の記録制御方法を説明するための記録フォーマットである。
【図３】  従来の記録制御方法を説明するための記録フォーマットである。
【符号の説明】
１    ディスク
２    スピンドルモーター
４    光学式ピックアップ
６    ピックアップ制御回路
７    デジタル信号処理回路
９    操作回路部
１０    記録信号入力回路
１１    システム制御回路
１３    レーザー駆動回路
【図１】
0003969937.tif 000002
【図２】
0003969937.tif 000003
【図３】
0003969937.tif 000004